(57)【要約】【課題】上，下枠の溝に嵌め込まれたパネルの上下両辺部を溝の片側に形成されたパネル受けに向けて押えるパネル押えの向きを変えることによって、実質的な溝の幅をパネルの厚さに応じて変更できるようにした汎用性のある経済的な建築用サイドパネルを提供する。【解決手段】上，下枠１ａ，１ｂの溝ａに嵌め込まれたパネル４の上下両辺部を溝の片側に形成されたパネル受けｂに向けて押えるパネル押えｃを、幅広の第一板部１３ａとその長辺から直角に折れ曲った幅狭の第二板部１３ｂとによって断面Ｌ字状に形成し、第二板部を上，下枠の水平板部１２ｅに固定して、第一板部でパネルを押える第一使用状態Ｘと、第一板部を上，下枠の水平板部に固定して、第二板部でパネルを押える第二使用状態Ｙとを選択することによって、パネル受けｂとパネル押えｃとの間隔Ｌを変更するように構成する。【選択図】        図８
2004176408.tif 000002
【特許請求の範囲】
【請求項１】
上，下枠の溝に嵌め込まれたパネルの上下両辺部を溝の片側に形成されたパネル受けに向けて押えるパネル押えを、幅広の第一板部とその長辺から直角に折れ曲った幅狭の第二板部とによって断面Ｌ字状に形成し、第二板部を上，下枠の水平板部に固定して、第一板部でパネルを押える第一使用状態と、第一板部を上，下枠の水平板部に固定して、第二板部でパネルを押える第二使用状態とを選択することによって、パネル受けとパネル押えとの間隔を変更するようにしたことを特徴とする建築用サイドパネル。
【請求項２】
相対向する上，下枠と、上，下枠の長手方向両端部間に連結された端面縦枠とで形成される方形枠体と、方形枠体の内部に嵌め込まれるパネルとを備え、前記上，下枠には、前記パネルの上下両辺部を嵌め込むための相対向する溝を形成し、溝の片側に夫々パネル受けを形成し、溝の反対側には、上，下枠の水平板部に固定可能な上下一対のパネル押えを設け、両パネル押えを、上，下枠と同程度の長さを有する幅広の第一板部とその長辺から直角に折れ曲った幅狭の第二板部とによって断面Ｌ字状に形成し、両パネル押えの第二板部を上，下枠の水平板部に固定して、第一板部でパネルを押える第一使用状態と、第一板部を上，下枠の水平板部に固定して、第二板部でパネルを押える第二使用状態とを選択することによって、パネル受けとパネル押えとの間隔を変更するようにしたことを特徴とする建築用サイドパネル。
【請求項３】
上，下枠の長手方向中間部のパネル受け側に、複数の縦枠取付け部が所定間隔おきに形成され、両パネル押えには、前記縦枠取付け部と対向する位置で、且つ、第一板部と第二板部とのなす角部に、複数の縦枠取付け部が形成され、上，下枠の縦枠取付け部間と、両パネル押えの縦枠取付け部間に、夫々、パネルの両側に位置する中間縦枠を連結するようにしたことを特徴とする請求項２に記載の建築用サイドパネル。
【請求項４】
パネルが、パネル材と、パネル材の周囲四辺に固定された方形の縁材とで構成されていることを特徴とする請求項１〜３の何れかに記載の建築用サイドパネル。
【発明の詳細な説明】
【０００１】
【発明の属する技術分野】
本発明は、例えば駐車場の屋根を支持する柱等に取り付けて、横方向からの風雨や風雪の吹き込みを防止すべく使用される建築用サイドパネルに関するものである。
【０００２】
【従来の技術】
【非特許文献１】
カタログ「ヨドガレージ・カーポ・倉庫」株式会社淀川製鋼所、２００２年７月発行（第１５頁）
【０００３】
従来、この種の建築用サイドパネルは、図９に示すように、相対向する上，下枠１ａ，１ｂに形成された溝ａにアクリル板等からなるパネル４の上下両辺部を嵌め込み、パネル４と溝ａとの隙間にビード４ｃを嵌め込むように構成されていた。
【０００４】
従って、使用可能なパネル４の厚みが溝ａの幅によって制限されることになり、汎用性がないため、例えば、木質のラチス材とその周囲四辺に固着された方形の縁材とで形成されたラチスパネルのような、厚さの異なるパネルを使用するためには、溝の幅が異なる上，下枠を製造する必要があり、パネルの厚みに対応する多品種を製造しなければならず、不経済であった。
【０００５】
【発明が解決しようとする課題】
上記の現状に鑑み、本発明は、上，下枠の溝に嵌め込まれたパネルの上下両辺部を溝の片側に形成されたパネル受けに向けて押えるパネル押えの向きを変えることによって、実質的な溝の幅（パネル押えとパネル受けとの間隔）をパネルの厚さに応じて変更できるようにした汎用性のある経済的な建築用サイドパネルを提供するものである。
【０００６】
【課題を解決するための手段】
上記の課題を解決するために、本発明では、上，下枠の溝に嵌め込まれたパネルの上下両辺部を溝の片側に形成されたパネル受けに向けて押えるパネル押えを、幅広の第一板部とその長辺から直角に折れ曲った幅狭の第二板部とによって断面Ｌ字状に形成し、第二板部を上，下枠の水平板部に固定して、第一板部でパネルを押える第一使用状態と、第一板部を上，下枠の水平板部に固定して、第二板部でパネルを押える第二使用状態とを選択することによって、パネル受けとパネル押えとの間隔を変更するようにしている（請求項１）。
【０００７】
具体的には、請求項２に記載した発明のとおり、相対向する上，下枠と、上，下枠の長手方向両端部間に連結された端面縦枠とで形成される方形枠体と、方形枠体の内部に嵌め込まれるパネルとを備え、前記上，下枠には、前記パネルの上下両辺部を嵌め込むための相対向する溝を形成し、溝の片側に夫々パネル受けを形成し、溝の反対側には、上，下枠の水平板部に固定可能な上下一対のパネル押えを設け、両パネル押えを、上，下枠と同程度の長さを有する幅広の第一板部とその長辺から直角に折れ曲った幅狭の第二板部とによって断面Ｌ字状に形成し、両パネル押えの第二板部を上，下枠の水平板部に固定して、第一板部でパネルを押える第一使用状態と、第一板部を上，下枠の水平板部に固定して、第二板部でパネルを押える第二使用状態とを選択することによって、パネル受けとパネル押えとの間隔を変更するようにした建築用サイドパネルを特徴としている。
【０００８】
上記の構成によれば、パネルとして、上下両辺部の厚さが厚いものを用いる場合には、パネル押えを第一使用状態とし、上下両辺部の厚さが薄いものを使用する場合には、第二使用状態とすることによって、パネルの上下両辺部をパネル受けとパネル押えとで挟持することができ、上，下枠に形成する溝の幅が一定であるにもかかわらず、パネル上下両辺部の厚さに応じて実質的な溝の幅（パネル受けとパネル押えとの間隔）を変更することができるので、汎用性が得られることになり、経済的である。
【０００９】
請求項３に記載の発明による建築用サイドパネルは、上，下枠の長手方向中間部のパネル受け側に、複数の縦枠取付け部が所定間隔おきに形成され、両パネル押えには、前記縦枠取付け部と対向する位置で、且つ、第一板部と第二板部とのなす角部に、複数の縦枠取付け部が形成され、上，下枠の縦枠取付け部間と、両パネル押えの縦枠取付け部間に、夫々、パネルの両側に位置する中間縦枠を連結するようにしたことを特徴としている。
【００１０】
上記の構成によれば、請求項１、２に記載の発明による上述した利点に加えて次の利点が得られる。
▲１▼上，下枠の長手方向中間部のパネル受け側に設けた縦枠取付け部間に立設される中間縦枠と、両パネル押えに設けた縦枠取付け部間に立設される中間縦枠とによって、上，下枠が補強されるので、上，下枠の長さが長くても、上，下枠の撓み変形を防止でき、頑丈な建築用サイドパネルが得られる。
▲２▼上，下枠の縦枠取付け部と両パネル押えの縦枠取付け部とが相対向する位置に設けられており、中間縦枠がパネルの両側方に立設されるので、上，下枠を長尺物とする一方、所定のモジュールに設定された複数枚のパネルを上，下枠の溝に嵌め込んで、横長の建築用サイドパネルを構成する場合、隣り合うパネルの目地と、パネル両側の中間縦枠の立設位置を合致させることにより、パネルの目地を両側の中間縦枠で隠蔽することができ、目地幅に多少の誤差があっても、美麗な建築用サイドパネルが得られる。
▲３▼第一板部と第二板部とのなす角部に縦枠取付け部を設けたので、パネル押えを第一使用状態にした場合でも、第二使用状態にした場合でも、上下のパネル押えの縦枠取付け部間にわたって中間縦枠を連結することができる。
【００１１】
尚、パネルとしては、単なるアクリル板のような均一な厚さの板状のものであってもよく、請求項４に記載の発明のように、パネル材（これは、後述する実施の形態のとおり、アクリル板、アルミと合成樹脂の複合板や鋼板により作製された有孔板、木質のラチス材等の全てを包含する意味である）と、パネル材の周囲四辺に固定された方形の縁材とで構成されたものであってもよい。
【００１２】
【発明の実施の形態】
図１において、Ａは、本発明に係る建築用サイドパネルの一例を示し、駐車場の屋根Ｂを支持する柱Ｃに取り付けて、横方向からの風雨や風雪の吹き込みを防止すべく使用される。この建築用サイドパネルＡは、相対向する上，下枠１ａ，１ｂと、上，下枠１ａ，１ｂの長手方向両端部間に連結された一対の端面縦枠２とで形成される横長の方形枠体３と、方形枠体３の内部に嵌め込まれる複数枚のパネル４とを備えている。５ａ，５ｂは、前記上，下枠１ａ，１ｂの長手方向中間部間に適当間隔おきに設けられる補強用の中間縦枠であり、図２に示すように、パネル４の両側に相対向して位置している。図２に示す６は、上，下枠１ａ，１ｂの端部と端面縦枠２との隙間に圧入して、隙間を閉塞する合成樹脂製のキャップである。
【００１３】
前記方形枠体３は、図３に示すように、上，下枠１ａ，１ｂに対して長手方向スライド自在に嵌合するスライド金具７と、当該スライド金具７に根角ボルト８とナット９とで連結される固定金具１０とを介して柱Ｃに取り付けるように構成されている。
【００１４】
前記スライド金具７は、図４、図６に示すように、断面略Ｃ字状で、その縦板部には凹入部７ａが形成され、凹入部７ａに角孔７ｂが形成されている。前記根角ボルト８は、前記凹入部７ａの深さに対応する厚みの頭部８ａと、角軸部８ｂと、ねじ軸部８ｃとから構成されており、スライド金具７の縦板部に形成した角孔７ｂに角軸部８ｂを嵌入させることにより、スライド金具７に対して回り止めされるように構成されている。
【００１５】
前記固定金具１０は、図４、図６に示すように、柱Ｃの側面にタッピングビス等の止め具１１ａで固定する平板部１０ａと、その左右両側端から同方向へ直角に折れ曲った幅狭な側板部１０ｂ，１０ｃと、それらの先端から互いに反対方向へ直角に折り返された一対の折曲板部１０ｄ，１０ｅとを有し、折曲板部１０ｄ，１０ｅには、各々、前記根角ボルト８のねじ軸部８ｃを水平方向から挿入することが可能な切欠き１０ｆ，１０ｇが形成されている。
【００１６】
そして、柱Ｃに予め固定金具１０を固定する一方、１個の固定金具１０につき２個のスライド金具７を、角孔７ｂに根角ボルト８を挿入した状態で、上，下枠１ａ，１ｂにスライド自在に支持させておき、固定金具１０の位置まで２個のスライド金具７を両側からスライドさせて、根角ボルト８のねじ軸部８ｃを切欠き１０ｆ，１０ｇに挿入し、折曲板部１０ｄ，１０ｅから突出するねじ軸部８ｃにナット９を螺着することにより、方形枠体３を柱Ｃに取り付けるように構成されている。図４に示す１１ｂは、上，下枠１ａ，１ｂと端面縦枠２の上下両端部とを固定するタッピングビス等の止め具である。
【００１７】
上枠１ａと下枠１ｂの断面形状は、図３に示すように、上下に対称形（線対称）である。具体的には、前記上，下枠１ａ，１ｂは、図８に示すように、中央に凹条部１２ａが形成された板部１２ｂと、その幅方向両端から同方向へ直角に折れ曲った側板部１２ｃ，１２ｄと、一方の側板部１２ｃの先端から内側へ直角に折れ曲った水平板部１２ｅと、水平板部１２ｅの先端から直角に折れ曲った垂直板部１２ｆと、他方の側板部１２ｄの先端から内側へ直角に折れ曲った第一水平板部１２ｇと、第一水平板部１２ｇの先端から直角に折れ曲った第一垂直板部１２ｈと、第一垂直板部１２ｈの先端から直角に折り返された第二水平板部１２ｉと、第二水平板部１２ｉの先端から直角に折れ曲った第二垂直板部１２ｊとから構成され、前記垂直板部１２ｆと前記第二垂直板部１２ｊとの間に前記パネル４の上下両辺部を嵌め込むための相対向する溝ａが形成されている。
【００１８】
そして、上，下枠１ａ，１ｂの溝ａの片側（図３の例では屋内側である。）に位置する前記第二垂直板部１２ｊは、夫々、溝ａに嵌め込まれたパネル４の上下両辺部の一側面を受け止めるためのパネル受けｂに形成されており、溝ａの反対側には、上，下枠１ａ，１ｂの前記水平板部１２ｅに固定可能な上下一対のパネル押えｃが設けられている。
【００１９】
両パネル押えｃは、上下に対称形（線対称）であって、図２〜図５、図７、図８に示すように、上，下枠１ａ，１ｂと同程度の長さを有する幅広の第一板部１３ａとその長辺から直角に折れ曲った幅狭の第二板部１３ｂとによって断面Ｌ字状に形成されており、図８の（Ａ）に示すように、両パネル押えｃの第二板部１３ｂを上，下枠１ａ，１ｂの水平板部１２ｅに固定して、第一板部１３ａでパネル４を押える第一使用状態Ｘと、図８の（Ｂ）に示すように、第一板部１３ａを上，下枠１ａ，１ｂの水平板部１２ｅに固定して、第二板部１３ｂでパネル４を押える第二使用状態Ｙとを選択することによって、パネル受けｂとパネル押えｃとの間隔Ｌを変更するように構成してある。図８に示す１１ｃは、パネル押えｃを上，下枠１ａ，１ｂの水平板部１２ｅとパネル４に固定するためのタッピングビス等の止め具である。
【００２０】
また、上，下枠１ａ，１ｂの長手方向中間部のパネル受けｂ側には、複数の縦枠取付け部１４が所定間隔（好ましくは、パネル４のモジュールに対応する間隔）おきに形成され、両パネル押えｃには、前記縦枠取付け部１４と対向する位置で、且つ、第一板部１３ａと第二板部１３ｂとのなす角部に、複数の縦枠取付け部１５が形成され、上，下枠１ａ，１ｂの縦枠取付け部１４間と、上下のパネル押えｃの縦枠取付け部１５間に、夫々、前記中間縦枠５ａ，５ｂを連結するように構成してある。
【００２１】
従って、上，下枠１ａ，１ｂが長手方向中間部において補強されることになり、上，下枠１ａ，１ｂの撓み変形を防止できる頑丈な建築用サイドパネルＡが得られることになる。しかも、図２で示したとおり、上，下枠１ａ，１ｂの縦枠取付け部１４と両パネル押えｃの縦枠取付け部１５とが相対向する位置に設けられており、中間縦枠５ａ，５ｂがパネル４の両側方に立設されるので、縦枠取付け部１４，１５の間隔をパネル４のモジュールに合わせておくことにより、複数枚のパネル４を上，下枠１ａ，１ｂの溝ａに嵌め込んで、横長の建築用サイドパネルＡを構成した際、隣り合うパネル４の目地と、パネル両側の中間縦枠５ａ，５ｂの立設位置が合致するので、パネル４の目地を両側の中間縦枠５ａ，５ｂで隠蔽することができ、目地幅に多少の誤差があっても、美麗な建築用サイドパネルＡが得られることになる。
【００２２】
尚、上，下枠１ａ，１ｂの縦枠取付け部１４は、第一水平板部１２ｇ、第一垂直板部１２ｈ、第二水平板部１２ｉ、第二垂直板部１２ｊの一部を切り欠くことによって構成されており、内側に中間縦枠５ａを挿入した状態で、中間縦枠５ａと上，下枠１ａ，１ｂの側板部１２ｄとをタッピングビス等の止め具１１ｄで連結するように構成してある。パネル押えｃの縦枠取付け部１５は、第二板部１３ｂの一部を２箇所ずつ直角に切り起こした２個一組の切り起こし片によって構成されており、中間縦枠５ｂの断面コ字状に形成された端部を、２個一組の切り起こし片に外側から嵌合した状態で、タッピングビス等の止め具１１ｅで連結するように構成してある。上，下枠１ａ，１ｂ、端面縦枠２、中間縦枠５ａ，５ｂ、パネル押えｃは、何れも鋼板を曲げ加工したものであるが、アルミ等で作製してもよい。図３〜図５に示す１６は、下枠１ｂと縁材４ｂとの間に介在させたスペーサーであり、木製角材等が使用されている。
【００２３】
前記パネル４は、図１〜図３に示すように、パネル材４ａと、その周囲四辺に固定された方形の縁材４ｂとで構成されている。パネル材４ａとしては、有色透明のアクリル板、アルミと合成樹脂の複合板や鋼板により作製された有孔板（パンチング板）、木質のラチス材（帯板を斜め格子状に連結したもの）等が使用される。縁材４ｂとしては、アルミ型材、木製角材等が使用され、これらはパネル材４ａの種類に応じて任意に選択できる。例えば、パネル材４ａが、アクリル板、アルミと合成樹脂の複合板や鋼板により作製された有孔板である場合、縁材４ｂとしては、アルミ型材や鋼板が使用されることが多く、パネル材４ａと縁材４ｂの隙間には、  ビード４ｃが嵌め込まれる。パネル材４ａが木質のラチス材である場合、縁材４ｂとしては木製角材が使用される。
【００２４】
パネル４の縦横の寸法や縁材４ｂの厚さ（換言すれば、パネル４の上下両辺部の厚さ）Ｔは任意に設定できる。例えば、パネル４は、縦が９００ｍｍ、横が９００ｍｍ、１３５０ｍｍ、１８００ｍｍのモジュールに設定される。縁材４ｂの厚さＴは、３０〜４０ｍｍ程度に設定される。
【００２５】
上記の構成によれば、上，下枠１ａ，１ｂの溝ａに嵌め込まれたパネル４の上下両辺部（縁材４ｂ）を溝ａの片側に設けたパネル受けｂに向けて押えるパネル押えｃを、幅広の第一板部１３ａとその長辺から直角に折れ曲った幅狭の第二板部１３ｂとによって断面Ｌ字状に形成し、第二板部１３ｂを上，下枠１ａ，１ｂの水平板部１２ｅに固定して、第一板部１３ａでパネル４を押える第一使用状態Ｘと、第一板部１３ａを上，下枠１ａ，１ｂの水平板部１２ｅに固定して、第二板部１３ｂでパネル４を押える第二使用状態Ｙとを選択することによって、パネル受けｂとパネル押えｃとの間隔Ｌを変更するようにしたので、パネル４として、上下両辺部の厚さＴが厚いものを用いる場合には、パネル押えｃを第一使用状態Ｘとし、上下両辺部の厚さＴが薄いものを使用する場合には、第二使用状態Ｙとすることによって、パネル４の上下両辺部をパネル受けｂとパネル押えｃとで挟持することができ、上，下枠１ａ，１ｂに形成する溝ａの幅が一定であるにもかかわらず、パネル上下両辺部の厚さＴに応じて実質的な溝の幅（パネル受けｂとパネル押えｃとの間隔Ｌ）を変更することができるので、汎用性が得られることになり、経済的である。
【００２６】
【発明の効果】
本発明は、上述した構成よりなり、上，下枠の溝に嵌め込まれたパネルの上下両辺部を溝の片側に形成されたパネル受けに向けて押えるパネル押えの向きを変えることによって、実質的な溝の幅（パネル押えとパネル受けとの間隔）をパネルの厚さに応じて変更でき、汎用性のある経済的な建築用サイドパネルが得られる等の効果がある。
【図面の簡単な説明】
【図１】本発明に係る建築用サイドパネルの一例を示す斜視図である。
【図２】要部の分解斜視図である。
【図３】要部の縦断面図である。
【図４】要部の分解斜視図である。
【図５】要部の分解斜視図である。
【図６】スライド金具と固定金具の斜視図である。
【図７】パネル押えの斜視図である。
【図８】作用を説明する要部の縦断面図である。
【図９】従来例の説明図である。
【符号の説明】
１ａ…上枠、１ｂ…下枠、４…パネル、１３ａ…第一板部、１３ｂ…第二板部、ａ…溝、ｂ…パネル受け、ｃ…パネル押え、Ｘ…第一使用状態、Ｙ…第二使用状態。
【図１】
2004176408.tif 000003
【図２】
2004176408.tif 000004
【図３】
2004176408.tif 000005
【図４】
2004176408.tif 000006
【図５】
2004176408.tif 000007
【図６】
2004176408.tif 000008
【図７】
2004176408.tif 000009
【図８】
2004176408.tif 000010
【図９】
2004176408.tif 000011